(57)【要約】  【課題】天板１にオプション部材を取り付ける作業の簡便化を図る。  【解決手段】側部構造壁１２を有する天板１に、ブラケット４を介してオプション部材を取り付けるものとし、前記天板１の反使用端に、前記側部構造壁１２の内面側に位置する内部空間を外部に連通させるブラケット挿通口１５５、１３３を設け、前記ブラケット挿通口１５５、１３３を介して前記内部空間に挿入したブラケット４の挿入端部４１を、前記側部構造壁１２に貫通させた止着具５により側部構造壁１２の内面側に緊締し固定するようにした。  【選択図】図２
2006204827.tif 000002
【特許請求の範囲】
【請求項１】
側部構造壁を有する天板に、ブラケットを介してオプション部材を取り付け得るようにしたものであって、
前記天板の反使用端側に、前記側部構造壁の内面側に位置する内部空間を外部に連通させるブラケット挿通口を設け、
前記ブラケット挿通口を介して前記内部空間に挿入したブラケットの挿入端部を、前記側部構造壁に貫通させた止着具により側部構造壁の内面側に緊締し固定していることを特徴とするオプション取付構造。
【請求項２】
前記止着具がボルトであり、前記ブラケットの挿入端部に前記ボルトが螺合するナット部を設けている請求項１記載のオプション取付構造。
【請求項３】
前記天板の反使用端側に後端部材を装着し、この後端部材を前後方向に貫通するスロット孔を穿つことで前記ブラケット挿通口を構成しており、
前記スロット孔を遮蔽する開閉可能なシャッターを前記後端部材に設けている請求項１または２記載のオプション取付構造。
【請求項４】
前記ブラケットに、前記オプション部材である配線ボックスを支持させるための配線ボックス支持部を設けている請求項１、２または３記載のオプション取付構造。
【請求項５】
前記ブラケットが、前記オプション部材であるデスクトップパネルを支持するものである請求項１、２または３記載のオプション取付構造。
【請求項６】
前記側部構造壁の外面側に第二のブラケットを配置し、
前記止着具を以て前記ブラケット及び前記第二のブラケットを緊締し固定して、
これらブラケット、第二のブラケットに別個のオプション部材をそれぞれ支持させるようにした請求項１、２または３記載のオプション取付構造。
【発明の詳細な説明】
【技術分野】
【０００１】
本発明は、デスクに代表される天板付家具に所望のオプション部材を取り付ける際の取付構造に関する。
【背景技術】
【０００２】
オフィス向けデスク等では、その天板の反使用端側に種々のオプション部材を取り付けられるようにしていることが少なくない。従来、天板にオプション部材を取り付ける構造として、下記特許文献１に開示されているものを採用している。即ち、オプション部材であるデスクトップパネルを取り付けるための取付金具（または、ブラケット）を天板の側壁の外面側に当接させ、板ナットを天板の側壁の内面側に配置し、ボルトを取付金具及び天板の側壁を貫通させて板ナットに螺合してこれらを緊締固定した後、デスクトップパネルを取付金具に支持させる。
【特許文献１】特開平０６−３４３５１７号公報
【発明の開示】
【発明が解決しようとする課題】
【０００３】
しかしながら、上記例の如きものであると、取付金具に穿たれた貫通孔、天板の側壁に穿たれた貫通孔、並びに板ナットに穿たれたボルト孔が互いに重なり合うように位置を合わせなくてはならない。しかも、天板外に露出する取付金具と、天板内に収容される板ナットとの両方を保定しつつボルトを螺着する必要があり、ともすれば取り付け作業が煩雑になるきらいは否めない。
【０００４】
以上に鑑みてなされた本発明は、天板にオプション部材を取り付ける作業の簡便化を図ることを所期の目的としている。
【課題を解決するための手段】
【０００５】
上述した課題を解決するべく、本発明に係るオプション取付構造においては、側部構造壁を有する天板に、ブラケットを介してオプション部材を取り付けるものとし、前記天板の反使用端側に、前記側部構造壁の内面側に位置する内部空間を外部に連通させるブラケット挿通口を設け、前記ブラケット挿通口を介して前記内部空間に挿入したブラケットの挿入端部を、前記側部構造壁に貫通させた止着具により側部構造壁の内面側に緊締し固定するようにした。
【０００６】
このようなものであれば、別途板ナットを使用する従来の取付構造と比較して、取り付け作業がより簡便なものとなる。また、ブラケットは機能上、挿入端部以外の部位が天板外に露出している状態にあることから、天板内に完全に収容される板ナットよりも位置の調整や保定を行い易く、その意味でも取り付け作業が楽になる。加えて、ブラケットの挿入端部やブラケット挿通口等が天板の使用端側に着席したユーザの視線から遮られるため、家具としての格調を保つことができる。
【０００７】
前記止着具がボルトであり、前記ブラケットの挿入端部に前記ボルトが螺合するナット部を設けているならば、ブラケットを天板に対して容易に着脱することができる。
【０００８】
前記天板の反使用端側に後端部材を装着し、この後端部材を前後方向に貫通するスロット孔を穿つことで前記ブラケット挿通口を構成し、前記スロット孔を遮蔽する開閉可能なシャッターを前記後端部材に設けているならば、ブラケット及びオプション部材の不使用時にブラケット挿通口を遮蔽しておくことができ好ましい。
【０００９】
オプション部材の具体例としては、各種機器に接続する給電コード、通信ケーブル等のコード類を収容できる配線ボックス（または、配線ダクト）が挙げられる。オプション部材が配線ボックスである場合、前記ブラケットに、この配線ボックスを支持させるための配線ボックス支持部を設けておく。
【００１０】
オプション部材の他の例として、デスクトップパネルも挙げられる。オプション部材がデスクトップパネルである場合には、前記ブラケットがデスクトップパネルを支持することとなる。
【００１１】
また、複数個のオプション部材を天板に取り付けるに際しては、前記側部構造壁の外面側に第二のブラケットを配置し、前記止着具を以て前記ブラケット及び前記第二のブラケットを緊締し固定して、これらブラケット、第二のブラケットに別個のオプション部材をそれぞれ支持させるようにすることも考えられる。
【発明の効果】
【００１２】
本発明によれば、天板にオプション部材を取り付ける作業をより簡便化できる。
【発明を実施するための最良の形態】
【００１３】
以下、本発明の一実施形態を、図面を参照して説明する。なお、説明中、デスクＤ（または、天板付家具）を使用するユーザが着席する使用端側を前方、反使用端側を後方と定義している。
【００１４】
本実施形態のデスクＤを、図１に示す。このデスクＤは、例えばオフィス等において用いられるものであって、天板１と、天板１の下方より支持する脚２と、天板１にブラケット４を介して着脱可能に取り付けることができるオプション部材３とを少なくとも具備する。
【００１５】
図２ないし図５に示すように、天板１は、板金材を曲げ加工してなる平面視略矩形状の天板本体を主体とする。天板本体は、天板面１１と、天板面１１に対し直交する側部構造壁１２、後部構造壁１３とを備え、これら天板面１１、側部構造壁１２及び後部構造壁１３によって包囲される内部空間を有している。天板面１１の裏側には、幅方向に延伸する補強材（図示せず）を溶接等により接合してある。しかして、側部構造壁１２の外面には側端部材１４を、後部構造壁１３の後面には後端部材１５及び可撓部材１６を、それぞれ装着する。
【００１６】
側端部材１４は、硬質樹脂を素材とする長尺な短冊状の部材である。側部構造壁１２と対向する内側面には、内方に突出し後方に屈曲する突起１４１を前後方向に沿って複数箇所に間欠的に成形している。これらの突起１４１は、側端部材１４を側部構造壁１２に装着する際に利用する。即ち、側部構造壁１２における、これらの突起１４１に対応する位置に予め透孔１２１を穿ってあり、突起１４１を透孔１２１に挿入することで側端部材１４を側部構造壁１２に対して位置決めし、しかる後に装着用のボルト（図示せず）で両者を締結するようにしている。
【００１７】
側端部材１４の外側面の後端近傍には、側面視略方形状に凹む凹陥部１４２を設けてある。凹陥部１４２には、後述する止着具（ボルト）５を貫入するための貫通孔１４３を穿つ。なお、側部構造壁１２においても、同止着具５を挿通することのできる貫通孔１２２を穿っておく。側端部材１４の凹陥部１４２に穿った貫通孔１４３と、側部構造壁１２に穿った貫通孔１２２とは、側端部材１４を側部構造壁１２に装着したときに側面視重なり合う。
【００１８】
側端部材１４の凹陥部１４２は、通常時にはサイドキャップ１４４及びスリットキャップ１４５によって被覆し隠蔽することができる。サイドキャップ１４４は側端部材１４に対して着脱自在であり、スリットキャップ１４５はサイドキャップ１４４に対して着脱自在である。
【００１９】
後端部材１５は、硬質樹脂を素材とし、後方に開放した内周部を有する小形箱状の部材である。後端部材１５は、天板１の左右両側に対をなす。後部構造壁１３と対向する前向面には、前方に向けて突出する突起１５１を複数箇所に成形している。加えて、後端部材１５の前端壁には、内周部に連通する貫通孔１５２を穿ってある。突起１５１及び貫通孔１５２は、後端部材１５を後部構造壁１３に装着する際に利用する。即ち、後部構造壁１３における、突起１５１に対応する位置に透孔１３１を、貫通孔１５２に対応する位置にボルト孔１３２を予め穿ってあり、突起１５１を透孔１３１に挿入することで後端部材１５を後部構造壁１３に対して位置決めし、しかる後に装着用のボルト１５３を貫通孔１５２を介してボルト孔１３２に螺合させて両者を締結するようにしている。
【００２０】
側端部材１４を側部構造壁１２に装着し、後端部材１５を後部構造壁１３に装着した状態で、側端部材１４の内側面と後端部材１５の外側面とが密接または近接し、同時に、側端部材１４の後端と後端部材１５の後端とが略面一になる。因みに、後端部材１５の外側面に、外方に突出し前方に屈曲する突条１５４を成形してある。この突条１５４は、側端部材１４の後端に刻んだ切溝１４６に差し入れられる。
【００２１】
後端部材１５の前端壁には、前後方向に貫通して内周部に連通するスロット孔１５５を設けている。スロット孔１５５は、その外方縁が背面視側部構造壁１２の内面に略一致するように外寄りに位置づけてある。このスロット孔１５５は、後述するブラケット４の挿入端部４１を挿入するためのものである。なお、後部構造壁１３においても、同挿入端部４１を挿通することのできる開口１３３を形成しておく。後端部材１５の前端壁に穿ったスロット孔１５５と、後部構造壁１３に形成した開口１３３とは、後端部材１５を後部構造壁１３に装着したときに背面視重なり合い、天板本体内の内部空間を外部に連通させるブラケット挿通口となる。
【００２２】
後端部材１５の内周部は、通常時にはシャッター１５６によって被覆し隠蔽することができる。シャッター１５６は、主シャッター板１５６ａ及び副シャッター板１５６ｂを要素とし、後端部材１５の後端近傍において内周部を閉止し得るように設ける。主シャッター板１５６ａは、背面視内周部の大半領域を閉止するもので、内寄りに配したピン１５６ｃ回りに回動可能であるように後端部材１５の内周面に支持させてある。副シャッター板１５６ｂは、背面視スロット孔１５５に略対応する部分領域を閉止するもので、ヒンジ１５６ｄを介して回動可能であるように主シャッター板１５６ａに支持させてある。
【００２３】
天板本体の左右両側に装着した後端部材１５間には、撓み変形容易な可撓部材１６を装着する。可撓部材１６は、天板１の幅方向に沿って延伸する中空な射出成形品である。後端部材１５の後端と可撓部材１６の後端とは、平面視略一直線上に連続して天板１の後縁を形作る。後端部材１５は、他の家具、什器や部屋の壁面等に突き当てることができる剛性を担保する。一方、可撓部材１６は、天板面１１上に載置された各種機器に接続しているコード類（給電コード、通信ケーブル等）を天板１下に落とし込むために利用できる。
【００２４】
しかして、本実施形態のデスクＤでは、所望のオプション部材３を天板１の後端側にブラケット４を介して取り付けできるようになっている。ブラケット４は、オプション部材の一である配線ボックス３（配線ダクト）を支持するべく使用されるものであって、少なくとも、天板本体内の内部空間に挿入される挿入端部４１と、当該配線ボックス３を支持する配線ボックス支持部４２とを備える。図示例のブラケット４は、板金材を用いてなる平板な部材であり、前後方向に水平に伸長する挿入端部４１と、挿入端部４１の後端近傍より鉛直下方に伸長する配線ボックス支持部４２とが側面視略逆Ｌ字型をなす。
【００２５】
挿入端部４１には、止着具たるボルト５を螺合させるナット部を設けている。具体的には、ボルト５をねじ入れるためのボルト孔４１１を、天板本体の側部構造壁１２及び側端部材１４の各々に穿った貫通孔１２２、１４３に対応する位置に形成して、ナット部を構成している。
【００２６】
配線ボックス支持部４２には、配線ボックス３を支持する直接的な手段であるフック爪４２１と水平支持片４２２とを設けている。フック爪４２１は、配線ボックス支持部４２の後端縁より突出する上向き爪で、上下方向に沿って複数箇所に間欠的に設けてある。水平支持片４２２は、配線ボックス支持部４２の下端より内側方に屈曲しており、その所定位置に貫通孔４２３を穿ってある。
【００２７】
ブラケット４を天板１に固定するに際しては、まず、後端部材１５の内周部を開閉するシャッター１５６を操作し、少なくとも副シャッター板１５６ｂによって閉止される領域を開放する。また、側端部材１４の凹陥部１４２を隠蔽しているサイドキャップ１４４及びスリットキャップ１４５を取り外す。次に、ブラケット４の挿入端部４１をブラケット挿通口、即ち後端部材１５のスロット孔１５５及び後部構造壁１３の開口１３３に後方より挿入し、挿入端部４１を天板本体内の内部空間に配置する。そして、この挿入端部４１の外側面を側部構造壁１２の内面側に添接させながら、挿入端部４１のボルト孔４１１を側部構造壁１２の貫通孔１２２、凹陥部１４２の貫通孔１４３に側面視重なり合うよう位置づける。しかる後、外側方よりボルト５を貫通孔１４３、１２２に貫通させボルト孔４１１に螺合することで、ブラケット４の挿入端部４１を側部構造壁１２の内面側に締結する。結果、ブラケット４が天板１に対して固定される。ボルト５の緊締を完了したならば、先に取り外していたサイドキャップ１４４及びスライドカバーを再び凹陥部１４２に取り付けて、ボルト５や凹陥部１４２を隠蔽する。天板１に固定してあるブラケット４を天板１より脱離させるには、上記と真逆の手順を実行すればよいことは言うまでもない。
【００２８】
天板１に固定したブラケット４の配線ボックス支持部４２には、配線ボックス３を支持させることができる。本実施形態における配線ボックス３は、図６ないし図９に示すように、上方に開放した配線空間を有するボックス本体３１と、ボックス本体３１の左右両側を閉塞する側板体３２と、配線空間を上方より閉止する蓋体３３とを備えている。
【００２９】
ボックス本体３１は、板金材を曲げ加工してなり、底壁３１１の前後両縁より前壁３１２と後壁３１３とが垂直に立ち上がり、これら底壁３１１、前壁３１２及び後壁３１３が側断面視略チャネル状をなす部材である。前壁３１２の上端は後方に屈曲させて上向面とし、この上向面に角孔３１４を幅方向に沿って間欠的に穿っている。前壁３１２の高さは、後壁３１３の高さよりもかなり低い。ボックス本体３１の幅方向の寸法、言い換えるならば配線空間の幅方向の内寸は、天板１後縁にある可撓部材１６の幅方向の寸法に概ね等しい。後壁３１３の前向面には、幅方向に沿って延伸する補強レール３１５を溶接等により接合している。
【００３０】
ボックス本体３１内には、コンセント等（給電コンセント、通信コネクタまたはモジュラージャック、他）を保持するためのコンセントホルダ３４を設置できる。コンセントホルダ３４は、コンセント等を保持するコンセント配設口３４４を開口させた保持面部３４１と、保持面部３４１の前縁より垂下する前面部３４２と、保持面部３４１の後縁より起立する後面部３４３とを備える。前面部３４２の下端は前方に屈曲させて水平面とし、この水平面の所定部位に角孔３４５を穿っている。水平面に穿った角孔３４５は、ボックス本体３１の前壁における上向面に穿つ角孔３１４に相似する。コンセントホルダ３４は、その前面部３４２における水平面をボックス本体３１の前壁３１２における上向面に載置し、かつその保持面部３４１の後端近傍及び後面部３４３をボックス本体３１の補強レール３１５に支持させることにより設置する。ボックス本体３１内に設置したコンセントホルダ３４は、幅方向にスライド移動可能である。コンセントホルダ３４の移動を禁止するには、コンセントホルダ３４の前面部３４２の水平面に穿った角孔３４５と、ボックス本体３１の前壁３１２の上向面に穿った角孔３１４とが平面視重なり合うようにコンセントホルダ３４を位置づけた後、略角柱状または略角筒状をなす保定具（図示せず）をこれら角孔３４５、３１４に貫通させればよい。
【００３１】
左右に対をなす側板体３２は、ボックス本体３１の両側を閉塞するものであると同時に、ブラケット４と係わり合う部材でもある。左右両側の側板体３２の外法は、デスクＤの天板１の幅寸法に略等しい。側板体３２の上端は、ボックス本体３１の前壁３１２及び後壁３１３の上端よりも高位置にある。これら側板体３２はそれぞれ、ボックス本体３１に溶接等により直接に接合する側壁３２１と、側壁３２１の外側端を被覆するサイドカバー３２７とを要素とする。側壁３２１は、板金材を外側方に開放した薄箱形状に成形してなる。配線空間に臨む内側面の中央部位には、透窓３２２を穿ってある。並びに、内側面の下端近傍の部位において、外側方に屈曲した係合片３２３を切り起こしており、この係合片３２３にナット３２３ａを設けている。前面には、フック孔３２４を上下方向に沿って複数箇所に間欠的に穿つとともに、係合片３２３の下縁に対応する高さ位置に支持片差入口３２５を切り欠いている。これらフック孔３２４、支持片差入口３２５及び係合片３２３は、ブラケット４の配線ボックス支持部４２に設けたフック爪４２１、水平支持片４２２と係合する。また、上端近傍に形成した外向面には、前後二箇所にボルト孔３２６を穿ってある。ボルト孔３２６は、後述する支持具７を取り付ける際に利用する。
【００３２】
サイドカバー３２７は、側壁３２１に外側方より装着してこれを覆う硬質樹脂成形品である。サイドカバー３２７は、上記の透窓３２２に対応した形状の筒状体を内側方に突出させており、側壁３２１に装着したときにこの筒状体が透窓３２２の周縁に密接または近接して配線空間に収めたコード類を配線ボックス３外へ導くための配線通路を構成する。配線通路は、配線ボックス３をデスクＤまたはブラケット４に対して着脱する場合に手指を差し入れる把手としても機能する。因みに、この配線通路を開閉する戸板３２８を、例えばヒンジを介してサイドカバー３２７に回動可能に取り付けておくことが好ましい。サイドカバー３２７の上端近傍は、側壁３２１の外向面及びボルト孔３２６を露出させるように一部切り欠いてある。この切り欠いてある部位は、コーナーキャップ３２９を装着することで隠蔽できる。
【００３３】
蓋体３３は、側面視扁平な台形状の外形をなし、左右両側の側板体３２に可動に支持させてある。本実施形態における配線ボックス３では、この蓋体３３を両開き可能としている。即ち、蓋体３３の前縁を持ち上げて前方より配線空間を開放することができるのみならず、蓋体３３の後縁を持ち上げて後方より配線空間を開放することもできる。
【００３４】
配線ボックス３のブラケット４への取り付けに際しては、既に述べたように、側板体３２の前面に穿ったフック孔３２４にフック爪４２１を係合させつつ、支持片差入口３２５に水平支持片４２２を挿入する。このとき、側板体３２の内部に進入した水平支持片４２２が、係合片３２３の下面に当接する。配線ボックス３をブラケット４に対して完全に固定するには、固定用のボルト３５を水平支持片４２２の貫通孔４２３を介して係合片３２３に設けたナット３２３ａに下方より螺合し、これら水平支持片４２２と係合片３２３とを締結すればよい。
【００３５】
配線ボックス３をブラケット４を介してデスクＤに取り付けたとき、側板体３２の上端面は天板面１１に略面一となる。そして、蓋体３３を閉じている状態では、この蓋体３３の上面もまた天板面１１に略面一となる。このとき、天板１の後縁と蓋体３３の前縁とが略隙間なく近接する。天板面１１上に載置された各種機器に接続しているコード類を配線ボックス３内に収容するには、蓋体３３の前縁を持ち上げてボックス本体３１を開放し、可撓部材１６を装着してある部位を介してコード類をボックス本体３１内に落とし込み、しかる後に蓋体３３の前縁を下ろしてボックス本体３１を閉止すればよい。蓋体３３と前壁３１２、後壁３１３との間には間隙が存在するため、配線したコード類と蓋体３３とが干渉し合うことは避けられる。
【００３６】
図１０に示しているように、配線ボックス３の後端側に別のデスクＤ’を対向配置すれば、双方のデスクＤ、Ｄ’の側から配線ボックス３を好適に利用することができる。デスクＤ’の天板面１１上に載置された機器に接続しているコード類を配線ボックス３内に収容するには、蓋体３３の後縁を持ち上げてボックス本体３１を開放し、コード類をボックス本体３１内に落とし込んだ後に蓋体３３の後縁を下ろしてボックス本体３１を閉止すればよい。蓋体３３がボックス本体３１を閉止している状態では、デスクＤの天板１、デスクＤ’の天板１及び蓋体３３の上面が互いに略面一となって広大な作業領域を提供する。
【００３７】
さらに、本実施形態では、図１１または図１２に示すように、デスクＤに取り付けた配線ボックス３にデスクトップパネル６を取り付けることが可能である。即ち、配線ボックス３の側板体３２に装着しているコーナーキャップ３２９を取り外して側壁３２１の外向面及びボルト孔３２６を露出させ、デスクトップパネル６を支持する支持具７（図１１に示す例では側面視略Ｌ字型をなし、図１２に示す例では側面視略Ｔ字型をなしている）を側壁３２１の外向面にボルト７１で螺着することで、デスクトップパネル６の取り付けを行うことができる。
【００３８】
本実施形態によれば、側部構造壁１２を有する天板１に、ブラケット４を介してオプション部材たる配線ボックス３を取り付けるものとし、前記天板１の後端（反使用端）側に、前記側部構造壁１２の内面側に位置する内部空間を外部に連通させるブラケット挿通口（開口１３３、スロット孔１５５）を設け、前記ブラケット挿通口を介して前記内部空間に挿入したブラケット４の挿入端部４１を、前記側部構造壁１２に貫通させた止着具５により側部構造壁１２の内面側に緊締し固定するようにしたため、別途板ナットを使用する従来の取付構造と比較して、取り付け作業がより簡便なものとなる。ブラケット４の挿入端部４１以外の部位、即ち配線ボックス支持部４２等は天板１外に露出している状態にあることから、挿入端部４１の位置の調整や保定を行い易く、その意味でも取り付け作業が楽になる。加えて、挿入端部４１やブラケット挿通口等がデスクＤの前（天板１の使用端側）に着席したユーザの視線から遮られるため、家具としての格調を保つことができる。
【００３９】
前記止着具がボルト５であり、前記ブラケット４の挿入端部４１に前記ボルト５が螺合するナット部（ボルト孔４１１）を設けているため、ブラケット４を天板１に対して容易に着脱可能である。
【００４０】
前記天板１の後端側に後端部材１５を装着し、この後端部材１５を前後方向に貫通するスロット孔１５５を穿つことで前記ブラケット挿通口を構成し、前記スロット孔１５５を遮蔽する開閉可能なシャッター１５６を前記後端部材１５に設けているため、ブラケット４及びオプション部材３の不使用時にはブラケット挿通口を遮蔽しておくことができる。
【００４１】
前記ブラケット４に、配線ボックス３を支持させるための配線ボックス支持部４２を設けているため、コード類を収容する配線ボックス３をデスクＤに対して簡便に着脱でき、ユーザベネフィットの向上がもたらされる。
【００４２】
なお、本発明は以上に詳述した実施形態に限られるものではない。特に、本発明に係る取付構造を採用して取り付けられるオプション部材は、配線ボックス３に限定されない。例えば、オプション部材として、デスクトップパネル等をブラケットを介してデスクＤの天板１に取り付けるものとしても構わない。この場合のブラケットは、配線ボックス３を支持する機能の替わりに、デスクトップパネル等を支持する機能を備えることとなる。
【００４３】
また、複数個のオプション部材、例えば配線ボックス３とデスクトップパネル６とを同時にデスクＤの天板１に取り付けることも考えられる。複数個のオプション部材を同時に天板１に取り付ける場合には、図１３に示すように、一方のオプション部材（例えば、配線ボックス３）を支持するブラケット４の挿入端部４１を側部構造壁１２の内面側に配置しつつ、他方のオプション部材（例えば、デスクトップパネル６）を支持する第二のブラケット８を側部構造壁１２の外面側に配置して、これらブラケット４、第二のブラケット８をともに同一の止着具たるボルト５を以て側部構造壁１２に対し固定する。第二のブラケット８は、例えば従来のデスクトップパネル取付構造で使用される取付金具と同様、前後方向に伸長する基端部８１と、基端部８１の後端近傍より上方に伸長するパネル支持部８２とが側面視略Ｌ字型をなす部材であって、その基端部８１に側部構造壁１２におけるものと同様の貫通孔８３を穿っておく。そして、第二のブラケット８の基端部８１を側端部材１４の凹陥部１４２の外向面に当接させ、その基端部８１の貫通孔８３から側端部材１４、側部構造壁１２を貫通させてボルト５をブラケット４の挿入端部４１のボルト孔４１１に螺合させ緊締する。また、このような第二のブラケット８を用いる際には、サイドキャップ１４４のみを凹陥部１４２に装着し、スリットキャップ１４５は取り外しておく。これは、第二のブラケット８のパネル支持部８１がスリットキャップ１４５の装着部位を介して凹陥部１４２より上方に突き出ることによる。
【００４４】
また、上述した実施形態では、止着具５とブラケット４の挿入端部４１との関係がボルト対ナットの関係になっていたが、ブラケット４の挿入端部４１に必ずしもナットの機能を付帯させる必要はなく、単にこれが止着具５たるねじに対するねじ受けであっても構わない。
【００４５】
その他各部の具体的構成は上記実施形態に限られるものではなく、本発明の趣旨を逸脱しない範囲で種々変形が可能である。
【図面の簡単な説明】
【００４６】
【図１】本発明の一実施形態におけるデスクを示す斜視図。
【図２】同要部平断面図。
【図３】天板本体及び側端部材を示す要部分解斜視図。
【図４】ブラケットの天板への取り付けを示す要部分解斜視図。
【図５】同要部側断面図。
【図６】配線ボックスのブラケットへの取り付けを示す要部分解斜視図。
【図７】配線ボックスのボックス本体及び側壁を示す同要部斜視図。
【図８】配線ボックスのブラケットへの取り付けを示す要部正断面図。
【図９】同要部側断面図。
【図１０】同実施形態のデスクの使用例を示す斜視図。
【図１１】デスクトップパネルの配線ボックスへの取り付けを示す要部側面図。
【図１２】同要部側面図。
【図１３】本発明の変形例の一を示す要部平断面図。
【符号の説明】
【００４７】
Ｄ…デスク
１…天板
１２…側部構造壁
３…オプション部材（配線ボックス）
４…ブラケット
５…止着具（ボルト）
【図１】
2006204827.tif 000003
【図２】
2006204827.tif 000004
【図３】
2006204827.tif 000005
【図４】
2006204827.tif 000006
【図５】
2006204827.tif 000007
【図６】
2006204827.tif 000008
【図７】
2006204827.tif 000009
【図８】
2006204827.tif 000010
【図９】
2006204827.tif 000011
【図１０】
2006204827.tif 000012
【図１１】
2006204827.tif 000013
【図１２】
2006204827.tif 000014
【図１３】
2006204827.tif 000015